(57)【要約】      （修正有） 【課題】建築物内外に象形図柄を提示する際に周辺の美観を損なわずに、「動き」「遊び」「癒し」などを兼ね備える空間を提供する象形図柄提示物を提供する。【解決手段】水が通過する空間を有する第１の部材２と、複数の第２の部材３にて象形図柄を表現できる構成であって、該第１の部材の上にこれら複数の該第２の部材を、予め定めた位置に設置可能とし、該第１の部材の平面上に設けられた該第２の部材によって、凹凸面の象形図柄を提示する構造の象形図柄提示物とする。【選択図】図１
0003162523.tif 000002
【実用新案登録請求の範囲】
【請求項１】
水が通過する空間を有する第１の部材と、複数の第２の部材にて象形図柄を表現できる構成であって、該第１の部材の上にこれら複数の該第２の部材を、予め定めた位置に設置可能とし、該第１の部材の平面上に設けられた該第２の部材によって、凹凸面の象形図柄を提示する構造の象形図柄提示物。
【請求項２】
前記第１の部材と、前記第２の部材は別体で作られ、該第１部材の指定位置に該第２の部材を配置固着して象形図柄を提示する構造の請求項１に記載の象形図柄提示物。
【請求項３】
前記第２部材で象形図柄を構成し、前記第１の部材で少なくとも該第２の部材の二つ以上を連結して一体化構造とする請求項１に記載の象形図柄提示物。
【請求項４】
さらに前記第２の部材の周辺を取り囲む部材として第３の部材を持ち、該第２の部材と該第３の部材との色差にて該第２の部材が表現している象形図柄を提示させる構造の請求項１から請求項３に記載の象形図柄提示物。
【請求項５】
さらに請求項１から請求項３における前記第１の部材、または前記第２の部材、そして請求項４における前記第３の部材、の少なくとも何れか一つには止め部が設けられており、該象形図柄提示物が該止め部にて設置面に固定可能とする象形図柄提示物。
【請求項６】
前記象形図柄とは、植物や動物など生物の図柄、手の平や足跡などの生物と関係する図柄、
生活用品や音符などの図柄、そして案内標識図柄など象形化できる各種図柄であって、単一またはそれらの組み合わせからなる複合図柄を複数の図柄で少なくとも一つの意味が表現されているものである請求項１から請求項５に記載の象形図柄提示物。
【請求項７】
請求項１から請求項５に記載の象形図柄提示物とは、庭の飛石、屋根や屋上に表現される象形図柄、塀や室内外の床や壁に表現される象形図柄を提示する象形図柄提示物。
【考案の詳細な説明】
【技術分野】
【０００１】
本考案は庭や家の玄関、ベランダなどの造形を構成したり、保育園や介護施設、病院など人が出入りする建物内外などにおいて、一般の庭や公園やビルの屋上、そして施設などの建築物内外に象形図柄を提示する際に周辺の美観を損なわずに、「動き」「遊び」「癒し」などを兼ね備える空間を提供する象形図柄提示物であって、庭園に配置される飛石など各種ガーデニング資材や各種インテリア資材、および人の集まる施設で複数の人々で共用で使用する備品などにおける象形図柄提示物が該当する。
【背景技術】
【０００２】
現在、市場での象形図柄提示物は、それ単体で一つの機能、つまりそこに提示している象形図柄を提示することが目的であって、例えば、庭園に配置される飛石に象形模図柄を提示して別の意味を持たせたい場合には、施工者が個々の既存のガーデニング資材を寄せ集めて、工夫をしながらその心理的問いかけが可能なように個別部材を施工時に工夫しながら行う必要が求められていた。
【０００３】
たとえば従来、庭に配置される飛石で考えるならば、飛石の一つの目的は庭の中を歩く際に、この飛石の上を通って欲しいとの要望が施工者にはあるが、普通は平たい自然石やセメント板などで単に、要望する位置に飛石を設置するのが常である。
それによって、その飛石の存在は庭の造形の一部の部材として、観賞者に一つの心理的問いかけを投げかけはするものの、施工者のこの上のみを歩いてほしいとの要望を主張するまでは至ってなく、観賞者は飛石周辺にも足跡を残して、そこに生えている芝生をいためたりしてしまう。
よって施工者は、個々の飛石の配置に工夫を凝らしたり、注意書きの情報を提示したりして、その目的を果たすしかなかった。
【０００４】
さらに、飛石の上面に直接それら情報を印刷などで提示する事も可能であるが、これでは周辺の自然美に対しと不具合な組み合わせとなり、造形された庭として好ましくなかった。
本考案は本象形図柄提示物を閲覧する者に対して周辺の自然美に溶け込みながらの象形模様提示物を本考案で提案するものであって、この提案にてインパクトのある象形図柄をその空間に演出することを可能にいたします。
このように、各種ガーデニング資材や各種インテリア資材、および人の集まる施設で複数の人々が共用で使用する備品では、それそのものの機能を果たす商品は色々提案されていますが、その機能を果たしながら、そこに象形図柄提示情報を埋め込ませた製品が本考案の構成で実現されるものであります。
【先行技術文献】
【特許文献】
【０００５】
【特許文献１】特開平１１−４６５８０
【特許文献２】特開２００３−１９３４０７
【考案の概要】
【考案が解決しようとする課題】
【０００６】
特許文献１では軽量で施工性が良い緑化構造体として、枠底部に支持部材を有する板体嵌合枠の側方に芝生植え込み枠を一体に形成した枠体と、この板体嵌合枠に嵌合され、支持部材で支持された板体とから成る緑化様枠体が開示されている。
これは、板体嵌合枠の中に芝生植え込み枠を設けることにて、板材と芝生とを板体嵌合枠が決めている配置で設置する事はできますが、その配置にはその配置が何を主張しているかの工夫までは組み込んでいない。
特に本考案で実現している象形図形での提案はなんらされてなく、単に、その構造は施工性を高める工夫でしかない。
【０００７】
特許文献２では文字、数字等の記号でブロックで構成し、それらブロックを所定配置で施工することにより、必要メッセージをそのブロックで伝達可能になるブロックが開示されている。
しかしながら、これらブロックはそこに表現ざれている文字、記号を表現する部材として用いられるものであり、それ以外の目的はそのブロックには与えられていない。
またこの文字、数字等の記号でのブロックは施工業者が複数個施工者が選択して配置することで得られるメッセージであり、本考案とは異なるものである。
【課題を解決するための手段】
【０００８】
本考案は、これに対して一つの部材の機能と共に、象形図柄提示物として象形図柄を積極的に閲覧者にその存在の主張を投げかける外観を提供するものである。
つまり本考案はそのために、水が通過する空間を有する第１の部材と、象形図柄を構成する複数の第２の部材とでなり、該第１の部材の上に該第２の部材を、予め定めた位置でのみ設置可能とし、該第１の部材の平面上に設けられた該第２の部材によって、凹凸面で象形図柄を提示する構造の象形図柄提示物であって、水通過する第１の部材の上に、一つの象形図柄を構成する複数の第２の部材を第１の部材の上に適宜に配置することでその象形図柄を凹凸面で提示するものであって、象形図柄提示機能の他に、飛石などの各種ガーデニング資材や各種インテリア資材、および人の集まる施設で複数の人々で共用で使用する備品などを実現する上での構成も含めた構造の象形図柄提示物とすることで、ひとつの商品から２つの機能（たとえば、飛石であると同時に情報提示物ともなる）を実現するものです。
【０００９】
その構成を実現する作り方の一つの例としては、象形図柄提示物は第１の部材と、第２の部材は別体で作られ、該第１部材の指定位置に該第２の部材を配置固着して象形図柄を提示する構造で本考案の象形図柄提示物を作る事が可能であり、第１の部材は柔軟性があり設置面に柔軟に敷ける材料で構成されたり、硬い部材で構成する場合もありますが、共に象形図柄がその上で表現可能に、所定の予め定められた位置に複数の第２の部材の各々が配置されるようにして、目的の象形図柄を凹凸面で提示いたします。
【００１０】
また、その構成を実現する別の作り方の一つの例としては、第２部材で平面的な象形図柄を構成し、第１の部材で少なくとも該第２の部材の二つ以上を連結した一体化構造で本考案の象形図柄提示物を作る事も可能であり、第１の部材の目的は複数の第２の部材を適宜に所定の予め定められた位置に配置することを主な目的としていますので、複数の第２の部材が離散しないように連結して繋ぐ構造でも実現可能である。
例えば、格子状や円枠型の型枠で作られる第１の部材の上に、第２の部材を一体化して作り込んで本考案の象形図柄提示物を作ることも可能である。
【００１１】
また、本考案の象形図柄提示物にはさらに第２の部材の周辺を取り囲む部材として第３の部材を持ち、該第２の部材と該第３の部材との色差にて該第２の部材の象形図柄を提示させる構造としても良い。
ここでの色差とは、本考案の象形図柄提示物を１ｍ離れたところで観賞しても容易に象形図柄が認識可能となるものであって、例えば、第２の部材を灰色のコンクリートで製作し、その周辺に緑色の人工芝シートで囲んでいる形状を想定してもよし、他の方法で、象形図柄が容易に認識可能となればそれらでも目的が果たせるので好ましい方法となる。
【００１２】
さらに、上記で述べた象形図柄提示物は、設置する場所に固定するために、象形図柄提示物の設置面への止め部が設けられており該象形図提示物を設置する面に固定することを可能にする構造を持ち、これによって本考案の象形図柄提示物は、この止め部にて設置面に設置することが可能となります。
【００１３】
本考案の象形図柄提示物で言うところの象形図柄とは、草花模様、動物模様、足跡模様、音符模様、そして各種案内標識模様で構成される図柄であり、単一またはそれらの組み合わせからなる複合図柄を複数の図柄で少なくとも一つの意味が表現されているものであります。
【００１４】
また、本考案の象形図柄提示物とは、庭の飛石、屋根や屋上に表現される象形図柄、塀や室内外の床や壁に表現される象形図柄を提示する象形図柄提示物などであります。
【考案の効果】
【００１５】
本考案の象形図柄提示物を用いますと、例えば、飛石に動物の足跡の象形模様のある本考案の象形図柄提示物を設けることで、ここを踏み場所にして歩いてくださいとの主張を、飛石本体から鑑賞者に積極的に主張することが可能となり、壁に飾る飾り部材に矢印の案内標識模様となる象形模様のある本考案の象形図柄提示物を設けることで、この方向に歩いてくださいとの主張を、壁に設ける本考案の象形図柄提示物から鑑賞者に積極的に主張することが可能となります。
このように、今まで単にその空間を構成する一つの象形図柄提示物としてしか機能していなかった資材より、積極的に自己主張を鑑賞者に提示可能となりますので、従来のように、複数の象形図柄提示物を組み合わせて主張したい目的を表現したりすることなく、一つの象形図柄提示物でその目的を果たすことが可能となっています。
たとえば、庭に設置する飛石に本考案の象形図柄提示物の構造を採用しますと、芝生が敷き詰められている光景がさらに美しいものとなり、その空間に「動き」「遊び」「癒し」、そして「（芝生の）保護」を兼ね備えた提案が可能となります。
【００１６】
つまり、本考案の象形図柄提示物を用いることで、その空間に容易に敷設、移動することができ、しかも動きのある空間を積極的に簡単に演出することが可能となります。
そして、飛石の場合であればそれが持つ機能である、芝生（天然、人工）に限らず踏み荒らされるのを防ぎ、育成、  保護の効果とあわせて、共に主張する機能を最大限に主張することが可能となります。
これによって、・子供だけでなく大人までもが、ついつい踏んでみたくなるような、そして目にも和ませる効果も生み出すことが可能となります。
飛石意外においても、たとえば塀を本考案を採用した象形図柄提示物で構成しますと、塀の機能と合わせてそこから別の象形図柄の提示内容を最大限に提案することが可能となり、その空間をさらに楽しいものにすることが可能となります。
【図面の簡単な説明】
【００１７】
【図１】本考案の実施例１の飛石構造図
【図２】本考案の実施例２の飛石構造図
【図３】本考案の実施例３の飛石構造図
【図４】本考案の実施例４の飛石構造断面図
【図５】本考案の実施例５の他の象形模様の説明図
【図６】本考案の実施例６の飛石以外の使用状況の説明図
【図７】本考案の実施例７の塀に本考案の象形図柄提示物を取り付ける説明図
【考案を実施するための形態】
【００１８】
本考案は、庭に設置する飛石にて、芝生が敷き詰められている光景を見るととても美しいのですが、そこに「動き」「遊び」「癒し」、そして「（芝生の）保護」を兼ね備えた物があれば、もっと楽しい空間にできると考えたのが始まりあって、構成としては、樹脂シートの上に、犬の肉球に見立てたコンクリートのパーツを合体させ、立体的な一つの足跡に仕上げ、さらに人工芝をコンクリートのパーツに合わせて切り取り、足跡に仕上げたコンクリートに被せ、コンクリートを人工芝から上に引き出した構造を提案するものであって、飛石以外においても、その空間に象形図柄でさらに楽しくその存在を主張可能とする象形図柄提示物であります。
【実施例１】
【００１９】
図１の図面を用いて本考案の構造を詳しく説明いたします。
図１は本考案の実施例１の飛石構造図を説明した図であって、本考案の象形図柄提示物の例として飛石を示し、水が通過する空間を有する第１の部材（１）の例として樹脂シートを示し、複数の第２の部材（２）の例として犬の肉球に見立てたコンクリートのパーツを示し、この第１の部材である樹脂シートの上（図では破線の位置）に、これら複数の該第２の部材である犬の肉球に見立てたコンクリートの複数のパーツを、破線の位置である予め定めた位置に設置可能とするものであって、第１の部材と第２の部材は、接着剤やお互いの設置面に絡めあう構造を設けて固着させることで合体させ、第２の部材のコンクリートで構成した象形図柄を第２の部材の周囲とは異なる平面として、凹凸面で見やすくした象形図柄提示物である飛石を示したものであります。
【００２０】
この飛石は、第１の部材は網目の樹脂シートで構成され、その上にコンクリートを象形図柄のパーツになる形状に固めた複数の第２の部材を第１の部材に接着させたり、接触面を凹凸面にして第２の部材を第１の部材に絡めて予め定めた位置に設置することで象形図柄提示物として構成されます。
第１の部材が水が通過する空間を必要とするのは、これら象形図柄提示物はおもに屋外に配置され、象形図柄提示物上に水の溜りを除去する必要性が求められるからです。
【００２１】
なお、この予め定めた位置とは、複数の第２の部材の個々の配置関係を示すものであって、第１の部材上に厳密に定めるほどの強制力を要求するものではありません。
また、図１の飛石で説明する象形図柄提示物の実施例は、本考案の象形図柄提示物の一例を飛石を用いて示すものであって、後で図５、図６、図７などでのべるように飛石に限定するものではありません。
【実施例２】
【００２２】
次に図２の図面を用いて本考案の別の構造を詳しく説明いたします。
図２では図１で示した第１の部材（１）と第２の部材（２）とが固着して一つの物として製作された事例を示しています。
つまり図２においては、丸いリング状でセメントにて第１の部材を構成させ、その上に複数の第２の部材を予め定めた位置に設置させて象形図柄提示物（１）を完成させたものです。
【００２３】
この飛石の構造において、第１の部材と第２の部材は別々に別対として製作された後各々の部材（第１の部材と、複数の第２の部材）を予め定めた位置に設置させて固着させてもよく、セメントを固める外型枠の段階でそれら第１の部材と第２の部材の二つ以上が連結して一体化構造として予め定めた位置に設置させて一体構造物となる象形図柄提示物を作成してもよい。
【００２４】
なお、図２の飛石で説明する象形図柄提示物の実施例は、本考案の象形図柄提示物の一例を飛石を用いて示すものであって、後で図５、図６、図７などでのべるように飛石に限定するものではありません。
【実施例３】
【００２５】
次に図３は、図１に示した実施例１の飛石に対して、第３の部材（４）を用いて、第２の部材（３）との間に色差をもたせて、より明らかに第２の部材が表現している象形図柄を提示させる構造の実現方法を示したものであります。
図３では、第２の部材（３）はセメントで構成され、第３の部材（４）は人工芝をあらわしています。一般にセメントは灰色であり、人工芝は緑色であります。
よって、セメントの灰色で示しています象形図柄提示物（１）は、さらに見やすくなり、飛石としての商品性のなかにおいて、提示しています犬の肉球に見立てた象形図柄をみれば誰しも芝生の上を踏むことなく、セメントの上を歩くように自己主張を象形図柄にて提示するものであります。
【００２６】
図３においては、人工芝を第３の部材（４）として説明しましたが、これは自然に生えている芝でもよく、その他砂地面をシート状にして配置してもなんら問題ありません。
また、図３では図１の実施例に第３の部材（４）を追加して説明しましたが、図２の実施例に第３の部材（４）を追加することでも実現可能です。
さらに、図３の飛石で説明する象形図柄提示物の実施例は、本考案の象形図柄提示物の一例を飛石を用いて示すものであって、後で図５、図６、図７などでのべるように飛石に限定するものではありません。
本実施例での第３の部材（４）の構造物は後でのべる図５、図６、図７での象形図柄提示物（１）の図柄の特徴、および設置位置によって色々な材料で構成することも可能です。
【実施例４】
【００２７】
図４は本考案の実施例４の飛石構造断面図であります。
図４では、先に説明しました実施例１から実施例３における実施例に用いました第１の部材（２）、第２の部材（３）、第３の部材（４）のいずれかに止め部（６）を設けた構造を断面図で示しております。
図４の（A）では、第１の部材（２）に止め部（６）が設けられた例を示しており、
図４の（B）では、第２の部材（３）に止め部（６）が設けられた例を示しており、
図４の（C）では、第３の部材（４）に止め部（６）が設けられた例を示しております。
各々の目的とするところは、たとえばこれら各部材で構成される象形図柄提示物（１）が飛石である場合を想定しますと、この止め部（６）にて象形図柄提示物（１）は設置面である地面に固定化され、設置状態に安定感を備えることが可能となります。
ここで、
図４の（A）での止め部（６）とは、第１の部材（２）の下側に突起している部分であり、
図４の（B）での止め部（６）とは、第２の部材（３）の下側に突起している部分であり、
図４の（C）での止め部（６）とは、第３の部材（４）の下側に突起している部分であります。
つまり、これらの止め部（６）は象形図柄提示物（１）の裏面に釘が付き出たような突起物であり、象形図柄提示物（１）の装着面に食い込む形状であったり、後で図７で述べるような穴部であったりするものであって、象形図柄提示物（１）を備え付ける位置に固定させる加工部であります。
【００２８】
なお、本考案の象形図柄提示物は図４の飛石に限定することなく、後で図５、図６、図７などでのべるように飛石に限定するものではありません。
また、止め部（６）の形状も上記で後で図７の例を説明すると記載していますように、図５、図６などの設置位置によっては、相手が地面の場合であったり壁などの構造物であったり色々な状況が発生しますので、特定の形状に限定する必要はありません。
【実施例５】
【００２９】
図５は本考案の他の象形模様の事例を示しております。
図５の（Ａ）は象形図柄提示物（１）として音符図柄を形成させたものであり、
図５の（Ｂ）は象形図柄提示物（１）として噴水図柄を形成させたものであり、
図５の（Ｃ）は象形図柄提示物（１）として指で方向図柄を形成させたものであり、
図５の（Ｄ）は象形図柄提示物（１）として車椅子図柄を形成させたものであり、
図５の（Ｅ）は象形図柄提示物（１）として
駐車場の方向を矢印図柄と駐車場所を示すＰ記号で複合図柄として形成させたものであり、
図５の（Ｆ）は象形図柄提示物（１）として
水族館などで亀を飼っている位置を亀と矢印の複合図柄で形成させたものであります。
このように、象形図柄提示物（１）を本考案の構造で複数の第２の部材で一つの図柄として表したり、または複数の図柄を組み合わせて一つの象形図柄提示物（１）とする事が可能となりますので、
本考案の図１、図２、図３で詳しく説明しています飛石に限定する事なく、同じ構造を他の図柄で実現すればより利用範囲を広げて活用することが可能になります。
【実施例６】
【００３０】
図６に示す（A）（B）（C）（D）の図は、色々な図柄を色々な場所で使われる例を示したものです。
図６の（A）は建物の壁にトンボ図柄の象形図柄提示物（１）を配置したものであり、建物がお店であった場合には、寄りたくなる安堵感を見るものに与えます。
図６の（B）は室内の壁に象形図柄提示物（１）として花図柄を配置し、トイレの位置に象形図柄提示物（１）として人形図柄を配置することで、部屋に安らぎを与えると同時にトイレの場所を明示することが可能になります。
また、図６の（C）は建物の屋上緑化の際に、図１から図３で示した飛石を配置したものであり、屋上緑化を美的に表現可能としたものであると同時に、歩く位置をこの象形図柄提示物（１）である飛石の位置で暗に示すものであります。
図６の（D）は建物の中において、床にコーヒカップの象形図柄提示物（１）を示して、喫茶室の方向を示すと同時に、他の出口床に車の象形図柄提示物（１）を示して、駐車場への方向を示した例を図で表わしております。
このように、具体的には色々な空間場面において、これら象形図柄提示物（１）は最も伝えたい図柄を配置することで、本考案の象形図柄提示物（１）が求めている主張を実現するものであります。
なお、これら図柄および使用箇所は図５に限定することなく、色々な場面に適した象形図柄提示物（１）が配置可能であります。
【実施例７】
【００３１】
図７は本考案の象形図柄提示物（１）を塀（７）に取り付ける場合の例を示しております。
図７では塀（７）に取付具（５）を設け、象形図柄提示物（１）には第２の部材（３）の周辺に止め部（６）となる取付穴を設けて、塀（７）の取付具（５）に組み合うように止め部（６）を組み合わせて象形図柄提示物（１）を取り付け、塀（７）に第２の部材（３）が配置されることを示しております。
このようにすることで、図６に示す色々な場所に象形図柄提示物（１）は配置可能となり、またその図柄は図５のように使用目的に合わして色々な図柄で提供可能となります。
【符号の説明】
【００３２】
１  象形図柄提示物
２  第１の部材
３  第２の部材
４  第３の部材
５  取付具
６  止め部
７  塀
【図１】
0003162523.tif 000003
【図２】
0003162523.tif 000004
【図３】
0003162523.tif 000005
【図４】
0003162523.tif 000006
【図５】
0003162523.tif 000007
【図６】
0003162523.tif 000008
【図７】
0003162523.tif 000009
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
水が通過する空間を有する第１の部材と、複数の第２の部材にて象形図柄を表現できる構成であって、該第１の部材の上にこれら複数の該第２の部材を、予め定めた位置に設置可能とし、該第１の部材の平面上に設けられた該第２の部材によって、凹凸面の象形図柄を提示する構造の象形図柄提示物。
【請求項２】
前記第１の部材と、前記第２の部材は別体で作られ、該第１部材の指定位置に該第２の部材を配置固着して象形図柄を提示する構造の請求項１に記載の象形図柄提示物。
【請求項３】
前記第２部材で象形図柄を構成し、前記第１の部材で少なくとも該第２の部材の二つ以上を連結して一体化構造とする請求項１に記載の象形図柄提示物。
【請求項４】
さらに前記第２の部材の周辺を取り囲む部材として第３の部材を持ち、該第２の部材と該第３の部材との色差にて該第２の部材が表現している象形図柄を提示させる構造の請求項１乃至３のいずれか１項に記載の象形図柄提示物。
【請求項５】
象形図柄を提示する面とは異なる面に固定部材が設けられている請求項１乃至４のいずれか１項に記載の象形図柄提示物。
【請求項６】
前記象形図柄とは、植物や動物など生物の図柄、手の平や足跡などの生物と関係する図柄、生活用品や音符などの図柄、そして案内標識図柄など象形化できる各種図柄であって、単一またはそれらの組み合わせからなる複合図柄を複数の図柄で少なくとも一つの意味が表現されているものである請求項１乃至５のいずれか１項に記載の象形図柄提示物。
【請求項７】
請求項１乃至５のいずれか１項に記載の象形図柄提示物とは、庭の飛石、屋根や屋上に表現される象形図柄、塀や室内外の床や壁に表現される象形図柄を提示する象形図柄提示物。